(57)【要約】【課題】  血行促進効果、血液浄化効果を得ることができ、関節痛、冷え症の解消に効果的である身体装着体を提供すること。【解決手段】  身体に装着する装着本体（靴下本体２）を備え、装着本体（靴下本体２）の身体と接触する接触領域の少なくとも一部に付着層６が設けられ、付着層６は母材にヨモギが混入されている。母材としてはアクリル系樹脂又はウレタン系樹脂を用いることができる。また、この母材には、ヨモギに加えてカプサイシン、銀粉末及びゲルマニウムなどを混入することができ、カプサイシンによる温熱効果、銀粉末による銀イオン効果、ゲルマニウムによるマイナスイオン効果及び遠赤外線効果などが得られる。【選択図】  図１
2007070755.tif 000002
【特許請求の範囲】
【請求項１】
身体に装着する装着本体を備え、前記装着本体の身体と接触する接触領域の少なくとも一部に付着層が設けられ、前記付着層は母材にヨモギが混入されていることを特徴とする身体装着体。
【請求項２】
前記付着層の前記母材にはヨモギ粉末が混入され、前記ヨモギ粉末は母材１００ｇに対して１０〜２０ｇの割合で混入されていることを特徴とする請求項１に記載の身体装着体。
【請求項３】
前記付着層の前記母材にはカプサイシンが混合され、前記カプサイシンは前記母材１００ｇに対して１０〜２０ｇの割合で混入されていることを特徴とする請求項１又は２に記載の身体装着体。
【請求項４】
前記付着層の前記母材には銀粉末が混入され、前記銀粉末は前記母材１００ｇに対して０．０１〜０．１ｇの割合で混入されていることを特徴とする請求項１又は２に記載の身体装着体。
【請求項５】
前記付着層の前記母材にはゲルマニウム粉末が混入され、前記ゲルマニウム粉末は前記母材１００ｇに対して０．００１〜０．０２ｇの割合で混入されていることを特徴とする請求項１又は２に記載の身体装着体。
【請求項６】
前記母材がアクリル系樹脂又はウレタン系樹脂であることを特徴とする請求項１〜５のいずれかに記載の身体装着体。
【請求項７】
身体装着体が下着、靴下、腹巻き、サポーター又は包袋であることを特徴とする請求項１〜６のいずれかに記載の身体装着体。
【発明の詳細な説明】
【技術分野】
【０００１】
本発明は、下着、靴下などのように身体に装着する身体装着体に関する。
【背景技術】
【０００２】
従来から、身体に装着する身体装着体に各種機能を持たせるために種々のものが提案されている。例えば、身体装着体にマイナスイオン発生機能を持たせるために、例えばゲルマニウム粉末を付着させたものが提案されている（例えば、特許文献１参照）。この種の身体装着体では、原料樹脂又は粘着剤を含有するプリント粉に例えばゲルマニウム粉末を添加し、かかるプリント粉をＴシャツなどの衣料品、寝具カバーなどに印刷して繊維間に染め込ませて固着している。
【０００３】
また、身体装着体としてのサポーターにマイナスイオン発生機能を持たせるために、シリコーンにマイナスイオンセラミックスを混入させた材料により細長い紐本体を形成し、この紐本体を編んでサポーターにしたものが提案されている（例えば、特許文献２参照）。  これらの身体装着体においては、マイナスイオンを発生させるためのゲルマニウム粉末、マイナスイオンセラミックスが固着されているので、身体装着体からマイナスイオンが発生し、かかるマイナスイオンによる効果によって、身体装着体を身に着けた装着者の健康が促進される。
【０００４】
【特許文献１】特開２００４−５７８０２号公報
【特許文献２】特開２００５−１６３１９５号公報
【発明の開示】
【発明が解決しようとする課題】
【０００５】
しかしながら、上述した身体装着体では、マイナスイオンによる効果を得ることができるが、血行促進効果、血液浄化効果などを得ることができず、この身体装着体を用いても高齢者に多い関節痛、女性に多い冷え症などの解消とはならない。
【０００６】
本発明の目的は、血行促進効果、血液浄化効果を得ることができ、関節痛、冷え症の解消に効果的である身体装着体を提供することである。
本発明の他の目的は、抗菌効果を得ることができる身体装着体を提供することである。
【課題を解決するための手段】
【０００７】
本発明の請求項１に記載の身体装着体は、身体に装着する装着本体を備え、前記装着本体の身体と接触する接触領域の少なくとも一部に付着層が設けられ、前記付着層は母材にヨモギが混入されていることを特徴とする。
【０００８】
また、本発明の請求項２に記載の身体装着体では、前記付着層の前記母材にはヨモギ粉末が混入され、前記ヨモギ粉末は母材１００ｇに対して１０〜２０ｇの割合で混入されていることを特徴とする。
【０００９】
また、本発明の請求項３に記載の身体装着体では、前記付着層の前記母材にはカプサイシンが混合され、前記カプサイシンは前記母材１００ｇに対して１０〜２０ｇの割合で混入されていることを特徴とする。
【００１０】
また、本発明の請求項４に記載の身体装着体では、前記付着層の前記母材には銀粉末が混入され、前記銀粉末は前記母材１００ｇに対して０．０１〜０．１ｇの割合で混入されていることを特徴とする。
【００１１】
また、本発明の請求項５に記載の身体装着体では、前記付着層の前記母材にはゲルマニウム粉末が混入され、前記ゲルマニウム粉末は前記母材１００ｇに対して０．００１〜０．０２ｇの割合で混入されていることを特徴とする。
【００１２】
また、本発明の請求項６に記載の身体装着体では、前記母材がアクリル系樹脂又はウレタン系樹脂であることを特徴とする。
更に、本発明の請求項７に記載の身体装着体では、身体装着体が下着、靴下、腹巻き、サポーター又は包袋であることを特徴とする。
【発明の効果】
【００１３】
本発明の請求項１に記載の身体装着体によれば、装着本体の身体と接触する接触領域の少なくとも一部に付着層が設けられ、この付着層の母材にヨモギが混入されているので、付着層のヨモギが装着者の皮膚に接触し、ヨモギに含まれるクロロフィルが皮膚を通して身体に吸収される。その結果、ヨモギによる効果、即ちクロロフィルによる血行促進効果によって身体が温められるとともに、血行浄化効果によって血液が清められる。そして、このような身体装着体の付着層を装着者の患部に当てることによって、患部に低温熱によるお灸の作用が得られ、血行促進効果及び血液浄化効果が得られ、関節痛、冷え症の解消に効果的に作用する。
【００１４】
また、本発明の請求項２に記載の身体装着体によれば、母材にヨモギ粉末が母材１００ｇに対して１０〜２０ｇの割合で混入されているので、ヨモギによる所望の血行促進効果及び血液浄化効果を得ることができる。ヨモギ粉末が１０ｇ未満であるときにはその効果が充分に得られず、また２０ｇを超えると得られる効果に対して過剰に混入するようになり、経済的に無駄となる。
【００１５】
また、本発明の請求項３に記載の身体装着体によれば、母材にはカプサイシンが混合されているので、カプサイシンによる温熱効果によってヨモギによる血行促進効果が更に高められ、充分な温熱効果を得ることができる。また、カプサイシンによる体脂肪の燃焼効果、新陳代謝の活性効果などの効果も得られる。このカプサイシンは母材１００ｇに対して１０〜２０ｇの割合で混入されるので、カプサイシンによる所望の温熱効果を得ることができ、１０ｇ未満であるときにはその効果が充分に得られず、また２０ｇを超えると得られる効果に対して過剰に混入するようになり、経済的に無駄となる。
【００１６】
また、本発明の請求項３に記載の身体装着体によれば、母材には銀粉末が混入されているので、銀による高い抗菌効果が得られ、臭いの発生、皮膚のかぶれなどを抑えることができる。この銀粉末は母材１００ｇに対して０．０１〜０．１ｇの割合で混入されているので、銀による所望の抗菌効果を得ることができ、０．０１ｇ未満であるときにはその効果が充分に得られず、また０．１ｇを超えると得られる効果に対して過剰に混入するようになり、経済的に無駄となる。
【００１７】
また、本発明の請求項５に記載の身体装着体によれば、母材にはゲルマニウム粉末が混入されるので、ゲルマニウム粉末により発生するマイナスイオンによってマイナスイオン効果が得られるとともに、発生する遠赤外線によって遠赤外線効果を得ることができ、血行促進効果などを得ることができる。また、ゲルマニウム粉末は母材１００ｇに対して０．００１〜０．０２ｇの割合で混入されるので、ゲルマニウム粉末による所望のマイナスイオン効果及び遠赤外線効果を得ることができ、０．０１ｇ未満であるときにはその効果が充分に得られず、０．１ｇを超えると得られる効果に対して過剰に混入するようになり、経済的に無駄となる。
【００１８】
また、本発明の請求項６に記載の身体装着体によれば、母材がアクリル系樹脂又はウレタン系樹脂であるので、ヨモギ粉末などを装着本体に所要の通りに付着させることができる。洗濯する回数が多い身体装着体では、付着層を充分な強度で装着本体に固着する必要があり、このような身体装着体、例えば靴下、肌着などではウレタン系樹脂が用いられ、また洗濯する回数が少ない身体装着体では、充分な強度が要求されず、このような身体装着体、例えば腹巻き、サポーター、包袋などではアクリル系樹脂が用いられる。尚、付着層を装着者の皮膚に押し付けるように作用させたいときには、ウレタン系の発泡樹脂を用いるのが望ましい。
【００１９】
更に、本発明の請求項７に記載の身体装着体によれば、下着、靴下、腹巻き、サポーター又は包袋に好都合に適用することができる。
【発明を実施するための最良の形態】
【００２０】
以下、添付図面を参照して、本発明に従う身体装着体の最良の実施形態について説明する。図１は、本発明に従う身体装着体の一例としての靴下の一実施形態を裏返して示す図であり、図２は、図１の靴下の一部を拡大して示す部分拡大断面図であり、図３は、図１の靴下を製作する製作工程を簡略的に示す簡略図である。
【００２１】
図１及び図２において、身体装着体の一例としての図示の靴下１は、装着本体としての靴下本体２を備えている。この靴下１は装着者の足に装着されるので、その内面の全域が身体と接触する接触領域となる。
【００２２】
この実施形態では、靴下本体２の底部４の内面、即ち底部４の接触領域に付着層６が設けられている。図示の付着層６は多数の付着部８から構成され、各付着部８は円形状に形成され、その大きさは３〜６ｍｍ程度に形成される。この付着層６は、装着者の足底に対応して設けられ、靴下１を足に装着すると足底に接触するようになる。尚、付着部８の大きさは適宜の大きさでよく、またその形状も楕円形状、四角形状、六角形状などの適宜の形状でよい。
【００２３】
付着層６の各付着部６は、母材にヨモギが混入されていることが重要である。母材としてはアクリル系樹脂、ウレタン系樹脂などの合成樹脂を用いることができ、洗濯などによって付着層６が剥がれるの防止するためには、固着強度の大きいウレタン系樹脂を用いるのが望ましく、大きな固着強度が要求されないときにはアクリル系樹脂を用いることができる。
【００２４】
母材に混入されるヨモギは、例えば粉末状にして混入することができ、母材１００ｇに対して１０〜２０ｇの割合で混入される。ヨモギにはクロロフィルが多く含まれており、母材にヨモギを混入することによって、クロロフィルによる血行促進効果及び血液浄化効果が得られる。
【００２５】
ヨモギとともにカプサイシンを混入するのが望ましい。カプサイシンは唐辛子の主成分であり、例えば唐辛子のエキスとしての液体状のものを用いることができる。このカプサイシンは、母材１００ｇに対して１０〜２０ｇの割合で混入され、このように混入することによって、ヨモギとの相乗効果によって温熱効果が高められる。
【００２６】
母材には、必要に応じて、銀及びゲルマニウムを混入することができる。銀は粉末状にして混入することができ、母材１００ｇに対して０．０１〜０．１ｇの割合で混入され、このように混入することによって銀イオンによる抗菌効果が得られる。また、ゲルマニウムも粉末状にして混入することができ、母材１００ｇに対して０．００１〜０．０２ｇの割合で混入され、このように混入することによって、ゲルマニウムから発生するマイナスイオンによるマイナスイオン効果及び遠赤外線による遠赤外線効果が得られる。
【００２７】
この実施形態では、母材にヨモギ、カプサイシン、銀及びゲルマニウムを混入しているが、カプサイシン、銀及びゲルマニウムについては必ずしも混入する必要はなく、身体装着体としての靴下１に必要な効果を持たせるために混入されるものであり、例えば温熱効果を高めたいときにカプサイシンが混入され、例えば抗菌効果を持たせたいときに銀（銀粉末）が混入され、マイナスイオン効果及び遠赤外線効果を持たせたいときにゲルマニウム（ゲルマニウム粉末）が混入される。
【００２８】
このような靴下１は、例えば、図３に示す製作工程によって製作することができる。まず、図３（ａ）に示すように、混合容器１２にヨモギ粉末、銀粉末及びゲルマニウム粉末を入れて混合する（第１混合工程）。次いで、図３（ｂ）に示すように、この混合容器１２に母材（例えば、ペースト状のウレタン系樹脂）及びカプサイシン液体を入れ、ヨモギ粉末、銀粉末及びゲルマニウム粉末とともに混合し（第２混合工程）、このようにして付着材料をつくる。
【００２９】
その後、靴下本体２を裏返し、図３（ｃ）に示すように、その底部２の足底部を広げ、かく広げた状態にてその上面にカバープレート１４を載置する。カバープレート１４には、靴下本体２に施される付着層６の付着部８の形状に対応した孔１６、実施形態では円形状孔が形成されている。このようなカバープレート１４を載置した後、このカバープレート１４の表面側から付着材料（第２混合工程で混合されたもの）を塗布する（塗布工程）。かくすると、カバープレート１４の孔１６を通して付着材料が靴下本体２に付着し、このようにして付着層８の付着部８が形成される（靴下本体２を裏返して付着材料を付着するので、付着層６は靴下本体２の内面、即ち装着者の肌に接触する面に形成される）。
【００３０】
このように塗布した後、付着層８を例えば自然乾燥させて靴下本体２に固着させる（乾燥工程）。このようにして図１及び図２に示す靴下１が製作され、製作した靴下１を足に装着すると、靴下本体２の内面に設けられた付着層６が装着者の足底に接触して作用し、付着層６に含まれた各種成分による効能が得られる。即ち、ヨモギ粉末が含まれているので、血行促進効果及び血液浄化効果が得られ、関節炎、冷え症などの解消に効果的であり、またカプサイシンをも混入されているので、その温熱効果によって血行促進効果が高められ、冷え症により効果的である。更に、銀粉末が混入されているので、銀イオンによる抗菌効果が得られ、臭いの発生、皮膚のかぶれなどを抑えることができ、またゲルマニウム粉末が混入されているので、マイナスイオン効果及び遠赤外線効果が得られ、血行促進効果が得られる。
【００３１】
上述した実施形態では、付着材料を塗布して付着層６を設けているが、単に塗布するのみでは付着層６が内側にほとんど突出することはないが、母材として例えばウレタン系の発泡樹脂を用い、付着材料の塗布工程の後に発泡工程を設け、この発泡工程において加熱して付着した付着材料を発泡させるようにしてもよい。このように母材を発泡させた場合、付着層６の各付着部８が発泡して突出するようになり、従って、靴下を装着した状態においては、各付着部８が足の足底を押圧するように作用し、これによって、付着層６の皮膚への接触がより強くなり、ヨモギ成分が皮膚を通してより吸収されやすくなるとともに、各付着部８による押圧効果も得られる。
【００３２】
以上、本発明に従う身体装着体の一実施形態を靴下に適用して説明したが、本発明はかかる実施形態に限定されるものではなく、本発明の範囲を逸脱することなく種々の変形乃至修正が可能である。
【００３３】
例えば、上述した実施形態では、靴下に適用して説明したが、本発明はその他の身体装着体、例えば下着（ショーツなど）、腹巻き、サポーター、包袋などにも適用することができ、これらのものに適用する場合においても、上述したと同様に、例えばウレタン系の発泡樹脂を母材として用いることによって、付着層の皮膚への接触状態をより強くすることができ、上述したと同様の効果が得られる。
【図面の簡単な説明】
【００３４】
【図１】身体装着体の一例としての靴下の一実施形態を裏返して示す図。
【図２】図１の靴下の一部を拡大して示す部分拡大断面図。
【図３】図１の靴下を製作する製作工程を簡略的に示す簡略図である。
【符号の説明】
【００３５】
１  靴下
２  靴下本体
６  付着層
８  付着部
１４  カバープレート
【図１】
2007070755.tif 000003
【図２】
2007070755.tif 000004
【図３】
2007070755.tif 000005